(57)【特許請求の範囲】
【請求項１】
対物光学系及び接眼光学系を夫々組み込んだ第１及び第２の鏡筒部とこれらの鏡筒部を連結する連結部とを有する双眼鏡であって、
第１の鏡筒部内において前記対物光学系及び接眼光学系のうちの何れかをその光軸方向にのみ移動可能に保持する第１移動枠と、
その長手方向に沿ってスリットが形成されており、前記第１移動枠による移動方向に直交する方向に向けてこの第１移動枠に固定された第１アームと、
第２の鏡筒部内において前記対物光学系及び接眼光学系のうちの何れかをその光軸方向にのみ移動可能に保持する第２移動枠と、
その長手方向に沿ってスリットが形成されており、前記第２移動枠による移動方向に直交する方向に向けてこの第２移動枠に固定された第２アームと、
第１及び第２の鏡筒部の間において前記第１移動枠及び前記第２移動枠による移動方向にのみ移動可能且つ回転不能に前記連結部に保持された移動部材と、
この移動部材を移動させる駆動手段と、
その平面において前記第１アーム及び前記第２アームに当接するために前記移動部材に設けられたレバー部材と、
互いに重ねられた前記第１アーム及び前記第２アームの両スリットに挿入された前記レバー部材との間で前記第１アーム及び前記第２アームを挟み込むとともに、その弾性によって前記第１アーム及び前記第２アームを前記レバー部材に押し付けるために前記移動部材に設けられた弾性当接部と
を備えたことを特徴とする双眼鏡。
【請求項２】
前記移動部材には、その移動方向に沿ってネジが切られており、
前記駆動手段は、前記移動部材に螺合するネジを有した操作部材と、この操作部材を回転自在且つ移動不能に前記連結部に保持する保持部とを有する
ことを特徴とする請求項１記載の双眼鏡。
【請求項３】
前記移動部材の先端には、その移動方向に直交する平面を有するとともにその一部にスリットが形成された板状部が、一体に形成されており、
前記弾性当接部は、前記板状部における前記スリットによって可撓性が生じた部分に設けられた突起であり、
前記レバー部材は、その平面を前記板状部の平面と平行に向けた状態で前記板状部に固定されている
ことを特徴とする請求項１記載の双眼鏡。
【請求項４】
自然状態における前記レバー部材の平面と前記弾性当接部との間の距離が、前記第１アーム及び前記第２アームにおける前記レバー部材と前記弾性当接部とによって挟まれた部分の幅よりも狭い
ことを特徴とする請求項３記載の双眼鏡。
【請求項５】
前記板状部における前記スリットによって可撓性が生じた部分は、前記板状部の平面における他の部分との間に、前記第１アーム及び前記第２アームにおける前記レバー部材と前記弾性当接部とによって挟まれた部分の幅に相当する段差を有しており、
前記レバー部材は、その平面を前記板状部の平面に密着させた状態で固定されている
ことを特徴とする請求項４記載の双眼鏡。
【請求項６】
前記板状部に形成されたスリットは、前記板状部の両側縁近傍を残して形成されており、前記突起は１箇所のみに形成されている
ことを特徴とする請求項３記載の双眼鏡。
【請求項７】
前記板状部に形成されたスリットは、前記板状部の中央を残して両側縁から形成されており、前記突起は２箇所に形成されている
ことを特徴とする請求項３記載の双眼鏡。
【請求項８】
前記第１の鏡筒部及び前記第２の鏡筒部は、前記連結部に対して、前記第１アーム及び前記第２アームの長手方向にスライド自在である
ことを特徴とする請求項１記載の双眼鏡。
【発明の詳細な説明】
【０００１】
【発明の属する技術分野】
本発明は双眼鏡に関し、特に、対物光学系及び接眼光学系のうち少なくとも何れかが焦点調整のために光軸方向へ移動可能に構成されているとともに眼幅調整のために光軸に直交する方向へ互いに接近及び離反可能に構成されている双眼鏡に関する。
【０００２】
【従来の技術】
双眼鏡は、観察者の両目によって個々に覗かれる左右の望遠光学系を、連結部にて互いに連結した構成を有している。このように構成される双眼鏡においては、左右の望遠光学系を夫々構成する対物光学系と接眼光学系との光軸方向相対位置を同時に調整することによって観察対象物体のピント（接眼光学系によって形成される観察対象物体の虚像の位置）を調整する焦点調節機構が、連結部に備えられていなければならない。また、左右の望遠光学系の夫々の接眼光学系同士の間隔を使用者の眼幅に合わせて調整可能とするために、左右両望遠光学系をその光軸に直交する面内で相対的に移動させる眼幅調整機構が、備えられていなければならない。
ところで、双眼鏡全体をコンパクトにするために、個々の望遠光学系を構成する各レンズを矩形状にコバ取りするとともに観察像を反転する素子としてダハプリズムを用いることによって双眼鏡全体を薄くした構成が、実現化されている。この種の双眼鏡において採用される眼幅調整機構は、双眼鏡全体を左右に伸縮させることによって左右の各望遠光学系を他方に対して直線的に接近又は離反させる構成であることが、双眼鏡の使用寸法を抑える上で望ましい。従って、上述した焦点調節機構は、このような眼幅調整機構と両立するものである必要がある。
【０００３】
図２０は、左右の各望遠光学系を他方に対して直線的に接近又は離反させる眼幅調整機構に焦点調節機構を組み込んだ双眼鏡の構成を示す内部機構図である。この図２０に示されるように、左右の各望遠光学系１１０Ｌ，１１０Ｒの接眼レンズ１１５Ｌ，１１５Ｒ，ダハプリズム１１３Ｌ，１１３Ｒ，及び補正プリズム１１２Ｌ，１１２Ｒは、一体に、移動枠１２０Ｌ，１２０Ｒ内に固定されている。各移動枠１２０Ｌ，１２０Ｒは、夫々、スライドフレーム１２１Ｌ，１２１Ｒ上に固定された案内軸１１９Ｌ，１１９Ｒに沿ってガイドされる。このスライドフレーム１２１Ｌ，１２１Ｒ自体は、底板１４１上に構築された図示せぬガイド機構によって、底板１４１の中心線ｌに対して線対称に、左右方向（図２０の左右方向）へスライド可能とされている。このような構成により、左右両接眼レンズ１１５Ｌ，１１５Ｒ同士の間隔を、使用者の眼幅に合わせて調整することが可能となっている（眼幅調整機構）。
【０００４】
他方、両移動枠１２０Ｌ，１２０Ｒの外周面には、夫々、底板１４１の中心軸ｌに直交する方向に向けて長板状のアーム１２２Ｌ，１２２Ｒが固定されており、中心軸ｌ上において互いに重なっている。これら両アーム１２２Ｌ，１２２Ｒには、夫々、長手方向に延びたスリット１２３Ｌ，１２３Ｒが形成されている。そして、底板１４１上には、その中心軸ｌと重なって支軸１３０が固定されており、この支軸１３０には、正面図である図２１，縦断面図である図２２及び底面図である図２３に夫々示された形状を有するネジ部材１２４が、回転不能且つ軸方向に進退可能に挿通されている。このネジ部材１２４は、パイプ状の雄ねじ部１２４ａと正面略矩形状のスライダ部１２４ｂとから構成されており、このスライダ部１２４ｂが底板１４１上に構成された図示せぬ回転防止機構に係合することによって、その回転が規制されている。また、このネジ部材１２４の雄ねじ部１２４ａには、ナット状に構成された転輪１２６の雌ネジが螺合している。この転輪１２６は、底板１４１上に構成された図示せぬ移動防止機構によって中心軸ｌ方向への移動が規制されており、回転にのみ自由度が与えられている。従って、この転輪１２６を回転させることによって、ネジ部材１２４が中心軸ｌに沿って進退する。
【０００５】
なお、ネジ部材１２４のスライダ部１２４ｂの端面には、図２１乃至図２３上において破線にてその外縁を示した形状のレバー部材１２５が固定されている。また、図２１に示すように、このレバー部材１２５の下縁（底板１４１に近接した縁）の中心からは、底板１４１に向けてレバー１２５ａが延びている。スライダ部１２４ｂの端面におけるレバー１２５ａと対向する部分は、直線状の段差１２４ｃを境に一段後退しており、レバー１２５ａとの間に隙間ｓを形成している。このレバー１２５ａが、互いに重なった両アーム１２２Ｌ，１２２Ｒのスリット１２３Ｌ，１２３Ｒに挿入され、レバー１２５ａとスライダ部１２４ｂの端面との間に形成された隙間ｓによって各アーム１２２Ｌ，１２２Ｒの外縁とスリット１２３Ｌ，１２３Ｒの内縁との間が挟み込まれる。これによって、両移動枠１２０Ｌ，１２０Ｒの光軸方向位置が規制され、転輪１２６の回転に従って、レバー部材１２と各アーム１２２Ｌ，１２２Ｒとの係合を介してネジ部材１２４によって両移動枠１２０Ｌ，１２０Ｒが光軸方向に駆動される（焦点調節機構）。
【０００６】
【発明が解決しようとする課題】
上述した隙間ｓの幅は、眼幅調整時におけるスライダ部１２４ｂ及びレバー１２５ａのアーム１２２Ｌ，１２２Ｒに対する摩擦抵抗を軽減するために、各アーム１２２Ｌ，１２２Ｒの外縁とスリット１２３Ｌ，１２３Ｒの内縁との間の幅よりも若干広く形成されている。このクリアランスのために、レバー１２５ａの内面は、図２２に示すように、各アーム１２２Ｌ，１２２Ｒのスリット１２３Ｌ，１２３Ｒの内縁に対して必ずしも常時接触してはいない。
【０００７】
従って、双眼鏡の使用中において移動枠１２０Ｌ，１２０Ｒに生じるガタに起因して接眼レンズ１１５Ｌ，１１５Ｒの位置（即ち、ピント状態）が安定しないという問題や、使用者による転輪１２５の回転操作の初期に移動枠１２０Ｌ，１２０Ｒが無反応であって全く移動しないという問題が生じる。さらに、各案内軸１１９Ｌ，１１９Ｒに対して各スライドフレーム１２１Ｌ，１２１Ｒにガタがある場合には、図２４に示すように、レバー部材１２５の内面（スライダ部１２４ｂに対向している面）に対して各アーム１２２Ｌ，１２２Ｒの外縁が斜めになってしまうために、移動枠１２０Ｌ，１２０Ｒ内の光軸が傾いてしまうという問題が生じる。このような問題点は、双眼鏡としての品質を大きく落としてしまい、使用者に操作に対する違和感を抱かせてしまう。
【０００８】
本発明は、以上の問題点の認識に基づき、アームに形成されたスリットの内縁を常時レバーの内面に接触させることができ、これにより、各望遠光学系の鏡筒にガタが生じないとともに使用者による転輪の操作に応じて鏡筒がレスポンス良く反応して移動する双眼鏡の提供を、課題とする。
【０００９】
【課題を解決するための手段】
上記の課題を達成するため、本発明の双眼鏡は、以下の構成を採用した。
【００１０】
即ち、請求項１記載の発明は、対物光学系及び接眼光学系を夫々組み込んだ２つの鏡筒部とこれら２つの鏡筒部を連結する連結部とを有する双眼鏡であって、第１の鏡筒部内において前記対物光学系及び接眼光学系のうちの何れかをその光軸方向にのみ移動可能に保持する第１移動枠と、その長手方向に沿ってスリットが形成されており、前記第１移動枠による移動方向に直交する方向に向けてこの第１移動枠に固定された第１アームと、第２の鏡筒部内において前記対物光学系及び接眼光学系のうちの何れかをその光軸方向にのみ移動可能に保持する第２移動枠と、その長手方向に沿ってスリットが形成されており、前記第２移動枠による移動方向に直交する方向に向けてこの第２移動枠に固定された第２アームと、第１及び第２の鏡筒部の間において前記第１移動枠及び前記第２移動枠による移動方向にのみ移動可能且つ回転不能に前記連結部に保持された移動部材と、この移動部材を移動させる駆動手段と、その平面において前記第１アーム及び前記第２アームに当接するために前記移動部材に設けられたレバー部材と、互いに重ねられた前記第１アーム及び前記第２アームの両スリットに挿入された前記レバー部材との間で前記第１アーム及び前記第２アームを挟み込むとともに、その弾性によって前記第１アーム及び前記第２アームを前記レバー部材に押し付けるために前記移動部材に設けられた弾性当接部とを、備えたことを特徴とする。
【００１１】
各鏡筒部内において移動枠によって移動する光学系は対物光学系であっても良いし接眼光学系であっても良いが、第１移動枠と第２移動枠とで同じ種類の光学系を移動させる必要がある。駆動手段は、移動部材をネジの螺合によって移動させても良いし、ギヤによって移動させても良いし、カムによって移動させても良い。第１レバー及び第２レバーは、板状物であっても良いし棒状物であっても良い。前者の場合、その外縁にてレバー部材の平面が当接しても良いが、レバー部材が挿入されるスリットの内縁にレバー部材の平面と当接しても良い。弾性当接部は、移動部材とは別部材から形成されても良いが、移動部材と一体成型されていても良い。この弾性当接部における弾性は、板バネによる弾発力であっても良いし、コイルバネによる弾発力であっても良いし、ゴムによる弾発力であっても良い。
【００１２】
また、請求項２記載の発明は、請求項１の移動部材にはその移動方向に沿ってネジが切られており、駆動手段が前記移動部材に螺合するネジを有した操作部材とこの操作部材を回転自在且つ移動不能に前記連結部に保持する保持部とを有することで、特定したものである。
【００１３】
また、請求項３記載の発明は、請求項１の移動部材の先端にはその移動方向に直交する平面を有するとともにその一部にスリットが形成された板状部が一体に形成されており、前記弾性当接部が前記板状部における前記スリットによって可撓性が生じた部分に設けられた突起であり、前記レバー部材がその平面を前記板状部の平面と平行に向けた状態で前記板状部に固定されていることで、特定したものである。
【００１４】
また、請求項４記載の発明は、請求項３において、自然状態における前記レバー部材の平面と前記弾性当接部との間の距離が、前記第１アーム及び前記第２アームにおける前記レバー部材と前記弾性当接部とによって挟まれた部分の幅よりも狭いことで、特定したものである。
【００１５】
また、請求項５記載の発明は、請求項４の板状部における前記スリットによって可撓性が生じた部分が前記板状部の平面における他の部分との間に前記第１アーム及び前記第２アームにおける前記レバー部材と前記弾性当接部とによって挟まれた部分の幅に相当する段差を有しており、前記レバー部材がその平面を前記板状部の平面に密着させた状態で固定されていることで、特定したものである。
【００１６】
また、請求項６記載の発明は、請求項３の板状部に形成されたスリットが前記板状部の両側縁近傍を残して形成されており、前記突起が１箇所のみに形成されていることで、特定したものである。
【００１７】
また、請求項７記載の発明は、請求項２の板状部に形成されたスリットが前記板状部の中央を残して両側縁から形成されており、前記突起が２箇所に形成されていることで、特定したものである。
【００２０】
また、請求項８記載の発明は、請求項１の第１の鏡筒部及び第２の鏡筒部が前記連結部に対して前記第１アーム及び前記第２アームの長手方向にスライド自在であることで、特定したものである。
【００２１】
【発明の実施の形態】
以下、図面を参照して、本発明の実施の形態を説明する。
【実施形態１】
図１は、本発明の第１実施形態による双眼鏡１を示す斜視図である。この図１に示されるように、本実施形態による双眼鏡１は、双眼鏡をなす一対の望遠光学系を夫々収容した一対の鏡筒部（左鏡筒部[第１鏡筒部]２１，右鏡筒部[第２鏡筒部]２２）とこれら一対の鏡筒部２１，２２を連結する連結部としての支持フレーム２５とから、大略構成されている。これら一対の鏡筒部２１，２２は、後述する眼幅調整機構によって、支持フレーム２５の中心軸を中心として、支持フレーム２５の平面と平行な面内で直線状且つ線対称に移動（互いに接近又は離反）可能に構成されている。これら両鏡筒部２１，２２同士を最も接近させた状態においては、両鏡筒部２１，２２の端縁同士が互いに接触し、転輪７１を残して支持フレーム２５が両鏡筒部２１，２２によって完全に覆われる。
【００２２】
図２は、双眼鏡１に組み込まれている光学系を示す光学構成図である。双眼鏡１は、接眼レンズと対物レンズが同一直線上に配置された、所謂ダハプリズムタイプの双眼鏡である。図２に示すように、双眼鏡１の各鏡筒部（左鏡筒部２１，右鏡筒部２２）には、左右一対の望遠光学系１０Ｌ，１０Ｒが収容されている。各望遠光学系１０Ｌ，１０Ｒは、図中一点鎖線で示す入射光軸ＯＡL，ＯＡRに沿って順番に配置された第１レンズ１１Ｌ，１１Ｒ、補助プリズム１２Ｌ，１２Ｒ、ダハプリズム１３Ｌ，１３Ｒ、及び第２レンズ１４Ｌ，１４Ｒ、接眼レンズ１５Ｌ，１５Ｒから、構成されている。
【００２３】
第１レンズ１１Ｌ，１１Ｒ及び第２レンズ１４Ｌ，１４Ｒは対物光学系を形成しており、対物光学系により形成された像は、接眼レンズ１５Ｌ，１５Ｒにより拡大され、観察される。なお、接眼レンズ１５Ｌ，１５Ｒによって使用者の眼から−１ディオプター（ｍ-1）に対応する位置にその虚像が形成される物体位置には、対物光学系によって結ばれた物体の実像の範囲を区切る視野枠１６Ｌ，１６Ｒが設けられている。
【００２４】
次に、図１に示す左右一対の鏡筒部２１，２２を、支持フレーム２５の中心軸を中心として線対称且つこの中心軸に直交する方向へ移動可能とするための構成について、説明する。なお、以下の説明では、双眼鏡の対物側を前方、接眼側を後方と呼ぶ。また、図２における光軸ＯＡL，ＯＡRに平行な方向は、単に「光軸方向」又は「前後方向」と呼び、光軸方向（前後方向）に直交する方向は、「双眼鏡幅方向」と呼ぶ。
【００２５】
図３は、双眼鏡１のフレーム構造を示す分解斜視図である。上述した支持フレーム２５は、平行な２枚の板部材である底板４１及び天板４２，並びに、底板４１と天板４２との間に設けられ双眼鏡の高さ方向の支柱となる中央支持体４５によって、横断面略Ｈ字型のフレームとして構成されている。
【００２６】
左右の望遠光学系１０Ｌ，１０Ｒを夫々構成する各レンズ及びプリズム（図３ではこれら各レンズ及びプリズムの外縁の図示を省略してその光軸ＯＡL，ＯＡRの位置のみを示す）は、底板４１と天板４２の間で双眼鏡の幅方向にのみ移動可能に設けられた左右一対のスライドフレーム３１，３２に、保持される。また、当該スライドフレーム３１，３２には、夫々、望遠光学系１０Ｌ，１０Ｒごとスライドフレーム３１，３２を覆う左右一対の外装ケース５１，５２が固定される。この左右のスライドフレーム３１，３２及び外装ケース５１，５２が、図１の鏡筒部２１，２２を構成する。
【００２７】
図４は、左右のスライドフレーム３１，３２、及び両スライドフレームを支持する底板４１を示す斜視図である。スライドフレーム３１，３２は、夫々、中央部に開口３１２，３２２が打ち抜かれた一対の板状部材である。各スライドフレーム３１，３２における外端縁（中央支持体４５とは逆側に位置する端縁）近傍は、天板４２に向けて直角に屈曲されており、この屈曲された部分が側壁部３１１，３２１とされている。
【００２８】
スライドフレーム３１の前端縁及び後端縁における側壁部３１１から所定距離だけ離れた位置には、天板４２に向けて直角に起立する一対の起立部３１３，３１４が、形成されている。同様に、スライドフレーム３２の前端縁及び後端縁における側壁部３２１から所定距離だけ離れた位置には、起立部３２３，３２４が形成されている。スライドフレーム３１の両起立部３１３，３１４の間には、前後方向に延びる案内軸３１５が掛け渡され、スライドフレーム３２の両起立部３２３，３２４の間には、前後方向に延びる案内軸３２５が掛け渡されている。また、スライドフレーム３１の起立部３１３，３１４の上端縁３１３ａ，３１４ａ、及びスライドフレーム３２の起立部３２３，３２４の上端縁３２３ａ，３２４ａは、夫々、天板４２の下面に当接することによって位置規制される。かくして、各スライドフレーム３１，３２は、底板４１と天板４２と中央支持体４５とからなる横Ｈ型の支持フレーム２５によって、底板４１及び天板４２と平行な方向にのみスライド可能に支持されている。
【００２９】
また、スライドフレーム３１の前端縁及び後端縁の近傍には、双眼鏡幅方向に沿った案内スリット３１０ａ，３１０ｂが夫々形成されている。同様に、スライドフレーム３２の前端縁及び後端縁の近傍には、双眼鏡幅方向に沿った案内スリット３２０ａ，３２０ｂが夫々形成されている。これら各スライドフレーム３１，３２の各案内スリット３１０ａ，３１０ｂ，３２０ａ，３２０ｂは、夫々、底板４１の四隅に植設されたピン４１３，４１４，４１５，４１６に係合している。この係合により、各スライドフレーム３１，３２の底板４１上での移動方向は、双眼鏡幅方向のみに規制される。
【００３０】
また、スライドフレーム３１の内端縁（中央支持体４５に近接する端縁）における両端近傍からは、夫々、双眼鏡幅方向に沿ってスライドフレーム３２へ向けて、一対の平行な延出部３３１，３３２が突出している。同様に、スライドフレーム３２の内端縁における両端近傍からは、夫々、双眼鏡幅方向に沿ってスライドフレーム３１へ向けて、一対の平行な延出部３４１，３４２が突出している。これらの各延出部３３１，３３２，３４１，３４２には、夫々、双眼鏡幅方向に延びる係合スリット３３３，３３４、３４３，３４４が形成されている。図５に示すように、底板４１上にスライドフレーム３１，３２を取り付けた状態では、スライドフレーム３１の延出部３３１とスライドフレーム３２の延出部３４１，並びに、スライドフレーム３１の延出部３３２とスライドフレーム３２の延出部３４２とが、夫々、スライドフレーム３２を上にして互いに重なる。このようにして互いに重なった延出部３３１及び３４１の係合スリット３３３，３４３には、底板４１上に植設されたピン４１１が係合しており、延出部３３２及び３４２の係合スリット３３４，３４４には、底板４１上に植設されたピン４１２が係合している。これらの係合によっても、各スライドフレーム３１，３２の底板４１上での移動方向は、双眼鏡幅方向のみに規制されている。
【００３１】
なお、底板４１の中心に関して点対称の位置にある延出部３３１及び３４２における他方の延出部に望む外縁には、夫々、ラック３３５，３４５が形成されている。これら両ラック３３５，３４５は、ともに一個のピニオン３６に噛合している。このピニオン３６は、底板４１の幅方向中央部においてスライドフレーム３１，３２の各延出部に跨るように配置された中央支持体４５の下面に、回転自在に取り付けられている。この噛合により、両スライドフレーム３１，３２は、底板４１の中心線（底板４１の前後方向に延びる中心線）に対して線対称に移動する。例えば、一方のスライドフレーム３１を中央支持体４５から離反する方向へスライドさせると、他方のスライドフレーム３２も、中央支持体４５から離反する方向へ同量だけスライドする。
【００３２】
次に、スライドフレームと外装ケースの取付構造について説明する。図６は、右側のスライドフレーム３２と外装ケース５２の取り付け構造を示す斜視図である。この図６に示されるように、外装ケース５２は、双眼鏡幅方向内側に開口した箱型に形成されている。外装ケース５２の前端には前端側壁５２１が形成され、この鉛直壁５２１には、対物光学系の第１レンズ１１Ｒ（図２）に入射光を導くための開口５２２が形成されている。一方、外装ケース５２の後端は全体が開口となっており、当該開口の双眼鏡幅方向内側近傍の内周縁には、後端カバー５２９を取り付けるための外縁部５２３が形成されている。スライドフレーム３２の一対の起立部３２３，３２４のうち、前方の起立部３２３には、前方に向けて突出して外装ケース５２の前端側壁５２１に当接する当接部３４６が、形成されている。また、接眼側の起立部３２４は後方に向けて屈曲され、屈曲部の上下端が外装ケース５２の外縁部５２３に当接する当接部３４７として形成されている。さらに、起立部３２３にはねじ孔３４８が形成され、ねじ孔３４８に対応する外装ケース５２の所定箇所には貫通孔５２４が形成されている。また、起立部３２４にはねじ孔３２４ａが形成され、外装ケース５２の外縁部５２３にはめ込まれる後端カバー５２９には、ねじ孔３２４ａに対応する箇所に貫通孔５２６が形成されている。そして、側壁部３２１の所定箇所にはねじ孔３４９が形成され、ねじ孔３４９に対応する外装ケース５２の所定箇所には、貫通孔５２５が形成されている。このように、スライドフレーム３２と外装ケース５２とは、当接部３４６と前端側壁５２１との当接，当接部３４７と外縁部５２３との当接、及び、各ねじ孔３４８，３２４ａ，３４９へのねじの締め付けによって、固定される。なお、左側の鏡筒部２１のスライドフレーム３１と外装ケース５１も、同様に固定される。
【００３３】
次に、左右の鏡筒部２１，２２において望遠光学系１０Ｌ，１０Ｒを保持するための構成について説明する。本実施形態の双眼鏡１は、図２に示す各望遠光学系１０Ｌ，１０Ｒのうち、補助プリズム１２Ｌ，１２Ｒから接眼レンズ１５Ｌ，１５Ｒまでの部分が夫々移動可能な移動ユニットとして構成され、当該移動ユニットが光軸ＯＡL，ＯＡRに沿って移動されることによって接眼部の収納／突出及び焦点調整が行われるよう構成されている。そのため、上述したスライドフレーム３１，３２には、後述するように構成された左右一対の移動ユニット６ａ，６ｂが、組み付けられている。また、本実施形態の双眼鏡１は、図２に示す右側の望遠光学系１０Ｒの第１レンズ１１Ｒが上記移動ユニット６ｂとは独立して光軸ＯＡRに沿って移動可能に構成され、これによって使用者の左右両目に合わせた視度調整が可能とされている。そのため、上述した右側のスライドフレーム３２には、第１レンズ１１Ｒを移動可能に保持する第１レンズ枠１９が組み付けられている。なお、左側の望遠光学系１０Ｌにおける第１レンズ１１Ｌは、左側のスライドフレーム３１に対して固定されている。
【００３４】
図７は、右側のスライドフレーム３２，移動ユニット６ｂ及び第１レンズ枠１９の分解斜視図であり、図８は、これらを組み付けた場外を示す斜視図であり、図９は、左右の移動ユニット６ａ、６ｂ等を組み込んだ双眼鏡１の横断面図（図１０のＩＸ−ＩＸ線に沿った横断面図）である。
【００３５】
図７に示すように、第２移動枠としての右側の移動ユニット６ｂは、プリズム（後述）を保持するプリズムホルダ６４，レンズ（後述）を保持するレンズホルダ６６，これらを支持する移動体６２，レンズホルダ６６にその先端側から被せられた化粧環（接眼部の外装部材）６８，レンズホルダ６６の先端に取り付けられた目当てゴム６８ａから、構成されている。移動体６２は、プリズムホルダ６４を載置するベース板６２ａと、ベース板６２ａの後端縁及び内側端縁に設けられた２つの鉛直壁６２ｂ，６２ｃよりなっている。２つの鉛直壁６２ｂ，６２ｃは平面視でＬ字状のフレームを形成し、鉛直壁６２ｂにはレンズホルダ６６が後方から取り付けられる。また、鉛直壁６２ｃには、スライドフレーム３２に取り付けられた案内軸３２５を挿通させるための挿通孔６２１，６２２が形成され、鉛直壁６２ｂの右端にはスライドフレーム３２の側壁部３２１に上方から接する当接部６２３が設けられている。かくして、図８に示すように、移動体６２は、スライドフレーム３２に対し、前後方向に移動可能に支持される。なお、第１移動枠としての左側の移動ユニット６ａは、底板４１の中心線に関して右側の移動ユニット６ｂと対称に構成されているので、その説明を省略する。
【００３６】
右側の第１レンズ１１Ｒを保持する第１レンズ枠１９は、案内軸３２５を挿通させるための挿通孔１９１，及びスライドフレーム３２の側壁部３２１に上方から接する突起１９２を有しており、移動ユニット６ｂの前方において、スライドフレーム３２に対して前後方向に移動可能に支持されている。また、この第１レンズ枠１９の上面には、光軸に直交する方向に二つの突起１９３が並んで突出形成されている。これらの突起１９３には、図示せぬ視度調整つまみに連動する羽根部材８１におけるスリット８１ａが係合しているので、図示せぬ視度調整つまみを操作することによって、羽根部材８１を介して第１レンズ枠１９が光軸方向に移動調整される。
【００３７】
次に、左右の移動ユニット６ａ，６ｂを光軸方向に移動させてピント調整を行うための構成を、説明する。図７乃至図９に示されるように、左右の移動体６１，６２における内側下側縁のほぼ中央には、スライドフレーム３２の延出部３４１，３４２と平行に、長板状のアーム（第１アーム６１４，第２アーム６２４）が固定されている。これら両アーム６１４，６２４の中心には、その長手方向に延びた中心軸に沿って、スリット６１５，６２５が形成されている。また、これら両アーム６１４，６２４は、図１０（図９のＸ−Ｘ線に沿った縦断面図）に示される様に、アーム６２４を上にして底板４１の中心線上で重なっており、夫々に形成されたスリット６１５，６２５が一部重複している。上述した中央支持体４５には、これら両スリット６１５，６２５に係合して両移動ユニット６ａ，６ｂを光軸方向に駆動するための焦点調整用駆動機構７０が内蔵されている。図１１は、これら中央支持体４５及び焦点調整用駆動機構７０の構造を示す分解斜視図であり、図１２は、焦点調整用駆動機構７０の縦断面図（図９及び図１０のXII-XII線に沿った要部縦断面図）である。
【００３８】
この図１１に示されるように、中央支持体４５は、略直方体の箱状の本体４５１とこの本体４５１の上端開口を閉じるための蓋４５２とから構成されている。この本体４５１の下面（底板４１に対向する面）におけるほぼ中央には、上述したスライドフレーム３１，３２の延出部３３１，３３２，３４１，３４２を跨ぐとともにピニオン３６を収容するための凹部４５１ａが形成されている。また、この本体４５１の上面（蓋４５２に接する面）には、後方から順番に、転輪７１を収容するための球凹部４５１ｂ，後述するレバー部材７５を収容するための矩形凹部４５１ｃ，及び、図示せぬ視度調整機構を収容するための視度調整機構収容部４５１ｄが、穿たれている。なお、これら球凹部４５１ｂ，矩形凹部４５１ｃ，及び視度調整機構収容部４５１ｄを夫々区切る隔壁，並びに、本体部４５１の先端内壁（視度調整機構収要部４５１ｄの内壁）及び後端内壁（球凹部４５１ｂの内壁）は、夫々、本体部４５１の中心軸に沿って後述する支軸７２を支持するために、切り欠かれている。また、矩形凹部４５１ｃの左右両側壁における底面近傍には、上述したアーム６１４，６２４を矩形凹部４５１ｃ内に貫通させるとともにその光軸方向への移動を許容するスリット４５ｂ，４５ｂが、形成されている。また、矩形凹部４５１ｃの左右両側内壁における上端開口近傍には、開口側において矩形凹部４５１ｃの幅が広がる段差状の案内レール４５ａ，４５ａが、形成されている。
【００３９】
上述した転輪７１は、球を樽型に切除した形状を有しているので、保持部としての球凹部４５１ｂ内において、操作部材として、回転可能且つ軸方向に移動不能に保持されている。この転輪７１の中心軸（樽型回転軸）には、図１２に示すように、筒状の駆動環７１ａが貫通した状態で固定されている。この駆動環７１ａの内周面には、その中心軸に関して１２０度づつ角度間隔を開けて、ヘリコイド突起（図示略）が突出形成されている。このように構成される駆動環７１ａには、図１３乃至図１５にその詳細形状が示されるネジ部材７３の雄ネジ部７３１がねじ込まれている。即ち、駆動環７１ａ及びネジ部材７３の雄ネジ部７３１が駆動手段に相当する。
【００４０】
移動部材としてのネジ部材７３は、正面図である図１３，縦断面図である図１４，底面図である図１５に夫々示されるように、雄ネジ部７３１及び板状のスライダ部７３２を一体成形することによって構成されている。このネジ部材７３の中心軸には、雄ネジ部７３１からスライダ部７３２にわたって、テーパー状の貫通孔７３ｂが形成されている。この貫通孔７３ｂ後部及び後述のレバー部材７５の貫通孔７５ｂには、支軸７２が貫通している。この支軸７２は、本体４５１の前後端内壁間で固定されているので、ネジ部材７３がその軸方向へスムースにガイドされる。ネジ部材７３の雄ネジ部７３１の外周面には、駆動環７１ａの内周面に形成されたヘリコイド突起（図示略）に螺合するネジ溝が切られている。この雄ネジ部７３１は、球凹部４５１ｂと矩形凹部４５１ｃとに亘って配置されるので、球凹部４５１ｂと矩形凹部４５１ｃとの間の隔壁に形成される切り欠きは、この雄ネジ部７３の外径よりも広く形成される必要がある。
【００４１】
スライダ部７３２は、図１３に示すように、矩形凹部４５１ｃの縦断面形状に合わせた形の外縁を有する板状部として、形成されている。即ち、このスライダ部７３２の上端縁の幅は、矩形凹部４５１ｃの上端開口の幅とほぼ同じであり、スライダ部７３２の下端縁の幅は、矩形凹部４５１ｃの両案内レール４５ａ同士の間隔とほぼ同じである。そして、スライダ部７３２の幅が変化する箇所が、矩形凹部４５１ｃの両案内レール４５ａと同形状のコーナー部７３ａとして形成されているのである。従って、このスライダ部７３２と矩形凹部４５１ｃとの係合により、ネジ部材７３は、回転規制されて支軸７２の軸方向にのみ進退可能となっている。つまり、転輪７１を回転させると、ネジ部材７３は、回転せずに支軸７２の軸方向へ進退するのである。
【００４２】
また、スライダ部７３２の正面（ネジ部材７３の移動方向に直交する平面）における貫通孔７３ｂの両脇には、ネジ穴７３ｃ、７３ｃが形成され、貫通孔７３ｂの上側（スライダ部７３２の上端縁側）には、回転防止突起７３ｄが突出形成されている。
【００４３】
さらに、スライダ部７３２の下端縁は、図１４に示すように、雄ネジ部７３１の外周面よりも、両アーム６１４，６２４の厚さを合わせた寸法を超えて突出している。この突出部７３３の正面は、スライダ部７３２の正面における他の部分よりも雄ネジ部７３１側に引っ込んでいることにより、段差７３ｅを形成している。この段差７３ｅのズレ量β（図１５参照）は、各アーム６１４，６２４の外縁とスリット６１５，６２５の内縁との間の距離α（図１４参照）よりも、僅かに大きい。スライダ部７３２における段差７３ｅよりも貫通孔７３ｂ側の領域には、左右両端縁近傍を残して、段差７３ｅに沿ったスリット７３ｆが形成されている。このスライダ部７３２は合成樹脂によって形成されているので、スリット７３ｆによってスライダ部７３２から分離した突出部７３３は、若干前後方向に撓むことができる。そして、この突出部７３３の端面における中央には、円柱面状の押圧突起７３ｇが弾性当接部として突出形成されている。この弾性突起７３ｇの突出量γは、段差７３ｅのズレ量βから各アーム６１４，６２４の外縁とスリット６１５，６２５の内縁との間の距離αを減算して得られた値よりも大きい。
【００４４】
このような形状を有するネジ部材７３のスライダ部７３２の正面には、図１６に示す平面形状を有する金属製のレバー部材７５が、図１３乃至図１５に夫々破線で示すように、ネジ止め固定される。このレバー部材７５の中央には、スライダ部７３２の貫通孔７３ｂを貫通した支軸７２が貫通する貫通孔７５ｂが穿たれている。また、レバー部材７５における貫通孔７５ｂの左右両脇には、スライダ部７３２のネジ穴７３ｃ，７３ｃにねじ込まれる固定ネジが貫通する貫通孔７３ｃ，７３ｃが穿たれている。これら各貫通孔７３ｃ，７３ｃは、貫通孔７３ｂ，７５ｂ同士の中心軸を一致させた状態でレバー部材７５をスライダ部７３２の正面に密着させたときに、スライダ部７３２のネジ穴７３ｃ，７３ｃに重なる。従って、これら各貫通孔７３，７３ｃを貫通させて図示せぬ固定ネジをスライダ部７３２のネジ穴７３ｃ，７３ｃにねじ込むことによって、レバー部材７５はスライダ部７３２の正面に固定される。また、レバー部材７５における貫通孔７５ｂの上側（図１６における上側）にある縁には、Ｕ字状の切り欠き７５ｃが形成されている。この切り欠き７５ｃは、レバー部材７５をスライダ部７３２の正面に固定したときに、スライダ部７３２の回転防止突起７３ｄに係合する。また、レバー部材７５における貫通孔７５ｂの下側（図１６における下側）にある縁には、舌片状のレバー７５ａが延出している。このレバー７５ａは、レバー部材７５をスライダ部７３２の端面に固定したときに、突出部７３３の押圧突起７３ｇと対向する。このとき、押圧突起７３ｇの先端は、突出部７３３の下端縁と同じ高さ位置まで達する。なお、レバー部材７５の左右の幅は、スライダ部７３２におけるコーナー部７３ｃ，７３ｃの部分の幅よりも、若干狭い。従って、このレバー部材７５がネジ部材７３の移動を阻害することはない。また、このレバー部材７５の厚さは、各アーム６１４，６２４のスリット６１５，６２５の幅よりも、僅かに薄い。
このレバー部材７５のレバー７５ａは、図１０及び図１２に示すように、中央支持体４５の矩形凹部４５１ｃ内に進入して互いに重なっている両アーム６１４，６２４のスリット６１５，６２５を貫通している。このとき、各アーム６１４，６２４の外縁とスリット６１５，６２５の内縁との間は、レバー７５ａと突出部７３３との間に挟まれる。但し、レバー７５ａの後面（突出部７３３に対向する面）と押圧突起７３ｇの先端との間の間隔は、各アーム６１４，６２４の外縁とスリット６１５，６２５の内縁との間の幅よりも狭い。従って、突出部７３３は、雄ネジ部７３１側へ弧状に撓み、この突出部７３３自体の弾発力によって、押圧突起７３ｇが両アーム６１４，６２４をレバー７５ａの後面に押し付ける。従って、両アーム６１４，６２５のスリット６１５，６２５の内縁は、常にレバー７５ａの後面と接触した状態にあるので、移動部６ａ，６ｂがガタつくことがない。但し、押圧突起７３ｇ以外の箇所において、突出部７３３の端面は両アーム６１４，６２４から離間しているので、眼幅調整時における両アーム６１４，６２４の軸方向（スリット６１５，６２５の長手方向）への移動は、スムースになされる。
【００４５】
以上に説明した構成を有する双眼鏡１を使用する場合、使用者は、最初に、両外装ケース５１，５２を夫々握って引っ張ることにより、両鏡筒部２１，２２の間隔を広げ、両接眼レンズ１５Ｌ，１５Ｒの間隔を自分の眼幅に合わせて調整する。このとき、支持フレーム２５の内部では、底板４１の中心線に関して、両スライドフレーム３１，３２が線対称にスライドする。また、両移動ユニット６ａ，６ｂのアーム６１４，６２４は、レバー７５ａに対する接触状態を保ったままそのスリット６１５，６２５の長手方向に移動するだけであるので、レバー７５ａの位置が移動することはない。
【００４６】
次に、使用者は、両接眼レンズ１５Ｌ，１５Ｒを覗きながら、転輪７１を回転させる。すると、駆動環７１ａとネジ部材７３の雄ネジ部７３１との螺合によって、ネジ部材７３は、最も先端寄りの位置から後方へと移動する。このネジ部材７３の移動に伴って、レバー部材７５のレバー７５ａは、両アーム６１４，６２４のスリット６１５，６２５を介して、両移動体６ａ，６ｂを同方向に同距離だけ駆動する。このとき、上述したように、両アーム６１４，６２５のスリット６１５，６２５の内縁は常にレバー７５ａの後面と接触した状態にあるので、移動部６ａ，６ｂは、転輪７１の回転にレスポンス良く反応して移動する。また、アーム６１４，６２４がレバー部材７５に対して傾斜することもないので、接眼レンズ１５Ｌ，１５Ｒの光軸が第１レンズ１１Ｌ，１１Ｒの光軸に対して傾くこともない。なお、両アーム６１４，６２４の幅やスリット６１５，６２５の幅に多少の誤差があったとしても、押圧突起７３ｇは両アーム６１４，６２４の外縁の位置に応じて多少傾くので、両アーム６１４，６２４のスリット６１５，６２５の内縁に対するレバー７５ａの接触状態はやはり維持される。
【００４７】
このようにして転輪７１を回転させることによって両移動部６ａ，６ｂを後方へ移動させると、接眼レンズ１５Ｌ，１５Ｒによって虚像が形成される範囲に、観察対象物体の対物光学系（１１Ｌ，１４Ｌ，１１Ｒ，１４Ｒ）による実像が結ばれるようになる。但し、この虚像の位置が使用者の視力による観察可能範囲にない場合には、この虚像は使用者にはぼんやりとしか見えない。そのため、使用者は、更に転輪７１を回転させることによって、観察対象物体の実像が明確に見えるように両移動部６ａ，６ｂの位置を調整するのである。
【実施形態２】
本発明の第２実施形態は、上述した第１実施形態と比較して、ネジ部材７３のスライダ部７３２の形状（更に具体的には、突出部７３３及びスリット７３ｆの形状）のみが異なり、他の構成を全く共通にしている。
【００４８】
図１７は、本第２実施形態におけるネジ部材７３の正面図であり、図１８は、その縦断面図であり、図１９は、その下面図である。これら各図から明らかなように、スライダ部７３２における段差７３ｅ’よりも貫通孔７３ｂ側の領域には、段差７３ｅに沿ったスリット７３ｆ’，７３ｆ’が、中央部分を残して両側縁から切り込まれて、形成されている。このスライダ部７３２は合成樹脂によって形成されているので、スリット７３ｆ’，７３ｆ’によってスライダ部７３２から分離した突出部７３３’の両端は、若干前後方向に撓むことができる。そして、この突出部７３３’の端面における両端には、夫々、円柱面状の押圧突起７３ｇ’７３ｇ’が突出形成されている。これら押圧突起７３ｇ’７３ｇ’の突出量γは、段差７３ｅのズレ量βから各アーム６１４，６２４の外縁とスリット６１５，６２５の内縁との間の距離αを減算して得られた値よりも大きい。
【００４９】
このような形状を有するスライダ部７２２の正面に上述した通りの形状を有するレバー部材７５を固定すると、レバー７５ａの後面（突出部７３３に対向する面）と各押圧突起７３ｇ’，７３ｇ’の先端との間の間隔は、両アーム６１４，６２４の外縁とスリット６１５，６２５の内縁との間の幅よりも狭くなる。従って、レバー７５ａを両アーム６１４，６２４のスリット６１５，６２５に貫通させると、突出部７３３が雄ネジ部７３１側へ弧状に撓んだ状態で、両アーム６１４，６２４のスリット６１５，６２５と外縁との間がレバー７５ａと押圧突起７３ｇ’，７３ｇ’との間に挟まれる。その結果、両アーム６１４，６２４のスリット６１５，６２５の内縁は、常にレバー７５ａの後面と接触した状態となるので、移動部６ａ，６ｂがガタつくことがない。しかも、両アーム６１４，６２４は、３点（レバー７５ａ，両押圧突起７３ｇ’、７３ｇ’）にて支持されるので、第１実施形態のものよりも確実に傾きが防止されている。本第２実施形態におけるその他の構成及び作用は、上述した第１実施形態のものと全く同じであるので、その説明を省略する。
【００５０】
【発明の効果】
以上に説明したように、本発明の双眼鏡によると、アームに形成されたスリットの内縁を常時レバーの内面に接触させることができ、これにより、各望遠光学系の鏡筒にガタが生じないとともに、使用者による転輪の操作に応じて鏡筒がレスポンス良く反応して移動する。
【図面の簡単な説明】
【図１】  本発明の第１実施形態による双眼鏡の斜視図
【図２】  図１の双眼鏡の光学系を示す光学構成図
【図３】  図１の双眼鏡の分解斜視図
【図４】  スライドフレームと底板の斜視図
【図５】  スライドフレームを底板に取り付けた状態を示す斜視図
【図６】  スライドフレームへの外装ケースの取付構造を示す斜視図
【図７】  移動ユニットの構造を示す分解図
【図８】  移動ユニットの組み付け構造を示す斜視図
【図９】  双眼鏡の内部構造を示す横断面図
【図１０】  図９のＸ−Ｘ線に沿った縦断面図
【図１１】  中央支持体の構造を示す分解斜視図
【図１２】  図９のXII-XII線に沿った一部省略縦断面図
【図１３】  ネジ部材の正面図
【図１４】  ネジ部材の縦断面図
【図１５】  ネジ部材の下面図
【図１６】  レバー部材の平面図
【図１７】  本発明の第２実施形態によるネジ部材の正面図
【図１８】  図１７のネジ部材の縦断面図
【図１９】  図１７ネジ部材の下面図
【図２０】  従来の双眼鏡の構造を示す平面図
【図２１】  従来の双眼鏡に用いられているネジ部材の正面図
【図２２】  図２１のネジ部材の縦断面図
【図２３】  図２１ネジ部材の下面図
【図２４】  光軸が傾いた状態を示す図
【符号の説明】
６ａ，    ６ｂ    移動部
１１Ｌ，  １１Ｒ    第１レンズ
１５Ｌ，  １５Ｒ    接眼レンズ
４５                中央支持体
７０                焦点調整用駆動機構
７１                転輪
７３                ネジ部材
７３ｅ              段差
７３ｆ              スリット
７３ｇ              押圧突起
７５                レバー部材
７５ａ              レバー
４５１                本体
４５１ｂ              球凹部
４５１ｃ              矩形凹部
７１０                駆動環
７３１                雄ネジ部
７３２                スライダ部
７３３                突出部
【図１】
0003742516.tif 000002
【図２】
0003742516.tif 000003
【図３】
0003742516.tif 000004
【図４】
0003742516.tif 000005
【図５】
0003742516.tif 000006
【図６】
0003742516.tif 000007
【図７】
0003742516.tif 000008
【図８】
0003742516.tif 000009
【図９】
0003742516.tif 000010
【図１０】
0003742516.tif 000011
【図１１】
0003742516.tif 000012
【図１２】
0003742516.tif 000013
【図１３】
0003742516.tif 000014
【図１４】
0003742516.tif 000015
【図１５】
0003742516.tif 000016
【図１６】
0003742516.tif 000017
【図１７】
0003742516.tif 000018
【図１８】
0003742516.tif 000019
【図１９】
0003742516.tif 000020
【図２０】
0003742516.tif 000021
【図２１】
0003742516.tif 000022
【図２２】
0003742516.tif 000023
【図２３】
0003742516.tif 000024
【図２４】
0003742516.tif 000025